(57)【特許請求の範囲】
【請求項１】
少なくとも第１及び第２の細長いけい光ランプを具えるディスプレイデバイス用バックライト照明装置において、第１けい光ランプの一部分及び第２のけい光ランプの一部分がその長さ方向にスペクトル特性の変化を示し且つ並べて配置され、第１及び第２のけい光ランプの並べて配置される部分のスペクトル特性が互いに反対方向に変化するように配置され、更に当該照明装置は複数のサブレフレクタを有する反射器を具え、前記サブレフレクタの少なくとも幾つかに前記第１及び第２のランプの並べて配置される部分が設けられていることを特徴とするバックライト照明装置。
【請求項２】
少なくとも幾つかのランプが少なくとも２つのサブレフレクタ内を延在することを特徴とする請求項１記載のバックライト照明装置。
【請求項３】
前記ランプが、互いに並列関係に配置され且つ連結部分により相互
連結された少なくとも第１アーム部分及び第２アーム部分を具え、前記第１アーム部分が第１サブレフレクタ内に収納され、前記第２アーム部分が第２サブレフレクタ内に収納されていることを特徴とする請求項２記載のバックライト照明装置。
【請求項４】
前記ランプの全ての部分が、１つのサブレフレクタ内に並べて配置される２つの部分のスペクトル特性が反対方向に変化するように配置されていることを特徴とする請求項１、２又は３記載のバックライト照明装置。
【請求項５】
前記ランプの少なくとも２つが直列に接続されていることを特徴とする請求項１〜４の何れかに記載のバックライト照明装置。
【請求項６】
前記ランプが１つ置きに直列に接続されていることを特徴とする請求項５記載のバックライト照明装置。
【請求項７】
前記ランプがグループ単位で直列に接続されていることを特徴とする請求項５又は６記載のバックライト照明装置。
【請求項８】
サブレフレクタ(i=1,2,..,n)が並べて配置され、第１サブレフレクタ(i=1)及び最終サブレフレクタ(i=n)を除くサブレフレクタ(i=2,3,..,n-1)に少なくとも２つのランプの部分が設けられていることを特徴とする請求項１〜７の何れかに記載のバックライト照明装置。
【請求項９】
第１(i=1)及び最終(i=n)サブレフレクタの壁に反射層が設けられていることを特徴とする請求項８記載のバックライト照明装置。
【請求項１０】
サブレフレクタが指向性レフレクタであることを特徴とする請求項１〜９の何れかに記載のバックライト照明装置。
【請求項１１】
請求項１〜１０の何れかに記載のバックライトを具える液晶ディスプレイデバイス。
【発明の詳細な説明】
本発明は、少なくとも第１及び第２の細長いけい光ランプを具えるディスプレイデバイス用バックライト照明装置に関するものである。
本発明は、バックライト照明装置を含む液晶ディスプレイデバイスにも関するものである。
バックライト照明装置はフラットパネル形ディスプレイデバイス、特に液晶ディスプレイデバイス（ＬＣＤデバイス）の光源として使用される。
けい光ランプは高い光出力を有するとともにその放出光のスペクトル特性を簡単に適応化させることができるため、フラットパネル形ディスプレイデバイスの光源として極めて好適である。このようなディスプレイデバイスでは、ディスプレイの背後に配置される照明装置には一般に互いに並列に配置された複数の長形けい光ランプが設けられる。或いは又、Ｕ字形けい光ランプ又は所謂蛇行形けい光ランプを用いることもできる。
頭書に記載したタイプのバックライト照明装置は英国特許出願ＧＢ−Ａ２２０７４９６に開示されている。この出願には、液晶ディスプレイ（ＬＣＤ）デバイス用の光源として使用するバックライト照明装置が記載され、このランプは液晶ディスプレイデバイスの背後に互い違いに配置された複数のＵ字形けい光ランプを含んでいる。このバックライト照明装置の液晶ディスプレイディスプレイ側と反対側に、複数のレフレクタを含む反射器又はサブレフレクタのアセンブリが設けられている。一般に、（サブ）レフレクタは凹面形状である。この既知のバックライト照明装置では、１つのＵ字形けい光ランプの２つのアーム部分の一方を隣のランプの２つのアーム部分間に平行に挿入している。
一般に、バックライト照明装置はディスプレイデバイスの活性部分を均等に照明する必要がある。
既知のバックライト照明装置の欠点は、装置の光出力がスペクトル特性の変化を示す点にある。
本発明の目的は上述の欠点が低減又は除去されたバックライト照明装置を提供することにある。
この目的のために、本発明のバックライト照明装置は、第１及び第２の細長いけい光ランプの一部分がその長さ方向にスペクトル特性の変化を示し、第１及び第２のランプの並べて配置された部分のスペクトル特性が互いに反対方向に変化するように配置されていることを特徴とする。
本発明者は、けい光ランプのスペクトル特性、例えばカラーポイントはランプの長さ方向に一定でないことを認識した。ランプのスペクトル特性の変化は一般にけい光ランプの製造プロセスにおいて生ずるばらつきにより生じ、これは、例えばランプにけい光混合物を充填するプロセス中に起こりうる。異なる物理的特性の結果として、（３成分）けい光混合物のある成分が他の成分より急速にランプに付着する。一般に、充填処理はランプの一方の端部から行われるので、ランプのスペクトル特性はランプの長さ方向に変化し、例えばけい光ランプの長さ方向にカラーポイントの差を生ずる。第１及び第２ランプの隣接する部分を本発明に従って相対的に位置させることにより、前記部分のスペクトル特性の変化が補償され、その結果としてバックライト照明装置のスペクトル特性の改善が得られる。一般に、隣接するランプ（の一部分）を、これらのランプ（の一部分）のスペクトル特性の和が個々のランプ（の一部分）のスペクトル特性より小さい変化を示すように相対的に位置させる。
本発明バックライト照明装置の一実施例では、更に、複数のサブレフレクタを具える反射器を設け、且つ前記サブレフレクタの少なくとも幾つかに第１のランプの前記部分及び及び第２のランプの前記部分を収納することを特徴とする。
本発明に従って１つのサブレフレクタに第１のランプ（の前記部分）及び第２のランプ（の前記部分）を収納すると、このレフレクタが補償効果を高める。その結果として、バックライト照明装置の光出力の均一性が更に向上する。ランプを本発明に従ってサブレフレクタ内に配置すれば、これらのランプ（の前記部分）は１つのサブレフレクタ内に、これらのランプ間のスペクトル特性の差が平均化又は均一化されるように相対的に位置することになる。ランプ（の一部分）を上述のような向きに配置することにより、第１のランプ（の一部分）のスペクトル特性の変化が、このランプ（の一部分）の近くに配置される反対方向に変化するスペクトル特性を有する第２のランプ（の一部分）により補償される。
上述の配置は使用するけい光ランプの形状に依存して実現し、これらのランプ（の一部分）を１つのサブレフレクタ内に配置することができる。本発明の解決手段に従ってランプをバックライト照明装置内に配置すれば、後に実施例につき詳細に説明するように、照明装置の光出力のスペクトル特性の変化が有効に低減され、又は除去される。
本発明のバックライト照明装置の一実施例では、少なくとも幾つかのランプが少なくとも２つのサブレフレクタ内を延在するように配置する。
けい光ランプの部分を２つ以上のサブレフレクタ内に収納するとともにサブレフレクタに少なくとも２つのランプの部分を収納することにより、（例えば２つのランプが異なるカラー出現を有する場合には）一方のランプが異なるスペクトル特性を有する光を放出する事実の影響がバックライト照明装置の異なるサブレフレクタに亘って分配（分布）される。この分配のおかげで、光分布の不均一性がバックライト照明装置の比較的大きな面積に亘って分配され、他のランプ（部分）の存在のために見につかなくなる。ランプがそれらの長さ方向にスペクトル特性の変化を示す場合には、これらのランプの部分をサブレフレクタに、それらのスペクトル特性の変化が反対方向になるように分布させる。このようにすると、１つのサブレフレクタ内の第１ランプの部分のスペクトル特性の変化が、これと逆方向に変化するスペクトル特性を有する同一のサブレフレクタ内に設けられた第２ランプの部分により補償される。従って、ランプ（の部分）をバックライト照明装置（のサブレフレクタ）内に相対的に適切な向きに配置することにより、バックライト照明装置の光出力のスペクトル特性の変化が有効に低減又は除去される。
既知の照明装置では、けい光ランプの偏差の影響がこのランプを収納するサブレフレクタ内に限定され、バックライト照明装置のスペクトル特性の変化が明瞭に目につくことなる。
本発明バックライト照明装置の一実施例では、ランプを、互いに並列関係に配置され且つ連結部分により相互連結された少なくとも第１アーム部分及び第２アーム部分を具えるものとし、前記第１アーム部分を第１サブレフレクタ内に収納し、前記第２アーム部分を第２サブレフレクタ内に収納する。
互いに並んで延在する（一般にはほぼ平行に延在する）とともに連結部分で相互連結されたアーム部分を有するランプを使用することにより、ランプの第１アーム部分を常に１つのサブレフレクタ内に設け、前記ランプの第２アーム部分を他の（隣接する）サブレフレクタ内に設けることが達成される。その結果として、サブレフレクタが並んで延在する場合には、バックライト照明装置内のけい光ランプのコンパクトで効率的な分布が得られ、バックライト照明装置の光出力の均一性が向上する。連結部部により相互連結された少なくとも２つのほぼ平行なアーム部分を有する（けい光）ランプはＵ字形又はＶ字形ランプと呼ばれている。互いに平行な複数の連結部分により相互連結された複数の平行アーム部分を有するランプは蛇行形けい光ランプと呼ばれている。
例えば製造ばらつきの結果として、Ｕ字形けい光ランプが、例えばスペクトル特性に少なくとも実際上再現可能な変化を示す場合には、これらのランプのアーム部分間の差を、これらのアーム部分をサブレフレクタに適切に分布させる事により補償することができる。これらのランプがそれらの長さ方向にカラーポイントの変化を示し、その結果として、例えばランプの第１アーム部分が“青みがかった”色を有し、第２アーム部分が（第１部分に対し）もっと“黄色がかった”色を有する場合には、１つのサブレフレクタ内で１つのランプの“青みがかった”色のアーム部分と他のランプの“黄色がかった”色のアーム部分とを組み合わせれば、前記アーム部分間のこのスペクトル特性の差を補償することができる。このようにランプのアーム部分を２つの異なるサブレフレクタに分布させると、互いに近接する１つのランプのアーム部分と他のランプのアーム部分が反対方向に変化するスペクトル特性を有するので、ランプのアーム部分のスペクトル特性の差が補償される。
全てのけい光ランプ（の部分）をバックライト照明装置内に、１つのサブレフレクタ内に並べて配置される２つの部分のスペクトル特性が反対方向に変化するように相対的に配向配置するのが好ましい。使用するけい光ランプの形状に依存して、この要件はランプ（の部分）を１つのサブレフレクタ内に配置する方法に種々の条件を課す。けい光ランプが長形であり、且つ（少なくとも）２つのランプを全体に亘って１つのサブレフレクタ内に並べて配置する場合には、各ランプのスペクトル特性の（少なくともほぼ再現可能な）変化の有効な補償を、限定された変化を有する前記ランプをサブレフレクタ内に交互に反転（逆向き）配置することにより達成することができる。けい光ランプが長形又はＵ字形であり、且つ第１ランプの（アーム）部分及び第２ランプの（アーム）部分を１つのサブレフレクタ内に並べて配置する場合には、（少なくとも２つの）ランプの前記（アーム）部分の各部分の少なくとも特性の（少なくともほぼ再現可能な）変化の有効な補償を、限定された変化を有するランプの（アーム）部分をサブレフレクタ内に、第１ランプの前記（アーム）部分のスペクトル特性変化がこれと反対方向に変化する第２ランプの前記（アーム）部分のスペクトル特性変化により補償されるように交互に反転配置することにより達成することができる。隣接するサブレフレクタ内に、（少なくとも２つの）長形又はＵ字形ランプの対応する（アーム）部分を、これらのサブレフレクタ内でもランプの（アーム）部分のスペクトル変化が互いに補償しあうように収納する。第１又は第２ランプの対応する（アーム）部分のスペクトル特性を補償するランプの（アーム）部分は第３ランプの一部分とすることもできる。バックライト照明装置内の全てのランプ（の部分）を本発明に従って配向配置するとにより、照明装置の光出力のスペクトル特性の変化が有効に低減又は除去される。
本発明バックライト照明装置の実施例では、少なくとも２つのランプを直列に接続する。けい光ランプの（交流）電源は（正確に）同一の出力特性を有しないので、２つの異なる電源に接続された２つのランプは異なるスペクトル特性を有することになり、ディスプレイデバイスの活性部分の不均一な光出力を導くことになる。少なくとも２つのランプを直列に接続することにより、２つの電源間の特性の差の影響が低減され、従ってバックライト照明装置の光分布の均一性が一層改善される。
本発明バックライト照明装置の好適実施例では、ランプを１つ置きに直列に接続する。ここで、「ランプを１つ置きに直列に接続する」とは、１つのサブレフレクタ内に並べて配置される２つのランプの２つの（アーム）部分は同一の電源に接続しないことを意味するものと理解されたい。ランプを１つ置きに直列に接続することにより、（少なくとも）１つの（けい光）ランプのスペクトル特性の変化を導く僅かに異なる電圧特性を有する電源の影響が１つのサブレフレクタ内に並べて配置されるランプの２つの（アーム）部分に分配されるのを避けることができる。
ランプを１つ置きに直列に接続して、１つのサブレフレクタ内の２つの（アーム）部分が１つの電源に接続されないようにするのが好ましい。これは、ランプをグループ単位で１つ置きに接続することにより、又は全てのランプを１つ置きに直列に接続することにより行うことができる。２以上の電源を使用し、且つ種々の電源をランプに適切に接続すれば、１つの電源の故障が光分布に及ぼす影響を最小にすることができる。
本発明のこれらの特徴及び他の特徴は以下に記載する実施例の説明から明らかになる。
図面において、
図１Ａはけい光ランプが設けられた本発明によるバックライト照明装置の実施例の平面図であり、
図１Ｂは図１Ａのバックライト照明装置のＩＢ−ＩＢ線上の断面図であり、
図２ＡはＵ字形けい光ランプが設けられた本発明によるバックライト照明装置の実施例の平面図であり、
図２Ｂは図２Ａのバックライト照明装置のＩＩＢ−ＩＩＢ線上の断面図であり、
図３ＡはＵ字形けい光ランプが設けられた本発明によるバックライト照明装置の他の実施例の斜視図であり、
図３Ｂは図３Ａのバックライト照明装置の断面図であり、
図４Ａは蛇行形けい光ランプが設けられた本発明によるバックライト照明装置の実施例の平面図であり、
図４Ｂは図４Ａのバックライト照明装置のＩＶＢ−ＩＶＢ線上の断面図であり、
図５は液晶ディスプレイデバイス及びバックライト照明装置のアセンブリの分解図である。
これらの図は純粋に略図であって、正しい寸法比で描いてない。特に、幾つかの寸法は大きく拡大してある。これらの図において、同一の部分にはできるだけ同一の番号を付してある。
図１Ａはけい光ランプ４、５が設けられた本発明バックライト照明装置の実施例の概略平面図であり、図１Ｂは図１Ａに示すバックライト照明装置１０の概略断面図であり、この照明装置には更に壁６により支持された光散乱カバー（拡散体）が設けられている。図１に示す実施例では、前記バックライト照明装置１０は並べて配置された一群のサブレフレクタ２、２’、２”、２”’を具えている。
（サブ）レフレクタはバックライト照明装置内に発生された直接光及び間接光をディスプレイデバイスの方向に向けさせる指向性レフレクタを構成する。一般に、これらのレフレクタは凹面形状であり、例えば（ランプにより）ディスプレイデバイスと反対方向に放出された光の反射（拡散）を生ずるマット白色コーティングが設けられる。本願において、“凹面（サブ）レフレクダ”とは、ディスプレイデバイスから離れた後壁及び（傾斜した）垂直側壁を具える、又は完全に又は部分的にピット状の後壁及び側壁を具えるチャンバ（サブレフレクタ）内にランプ収納することを意味する。
製造ばらつきの結果として、これらのランプはスペクトル特性の変化を示す。けい光ランプの長さに方向のスペクトル特性のばらつきは、例えばランプにそれぞれ異なる物理的（及び化学的）特性を有する成分を含むけい光混合物を充填する処理中に発生する。前記特性の差の結果として、上述した成分のある成分が他の成分より急速にランプに付着するので、（３成分）けい光混合物を含む充填コラムが（円柱）ガラス管の内面に沿って移動するにつれてスペクトル特性を決定する成分の比が変化する。一般に、充填処理はランプの一方の端部から行われるため、ランプのスペクトル特性がランプの長さ方向に（徐々に）に変化し、例えばけい光ランプの長さ方向にカラーポイントに差を生ずる。製造プロセスにおいて、けい光ランプの長さ方向のこのスペクトル分布は各ランプごとにほぼ同一である。
図１Ａに示す実施例では、各レフレクタ２が２つの異なるけい光ランプ４、５を収納する。けい光ランプ４、５の長さ方向のスペクトル特性の変化をランプ４、５の端部近くに示す文字ａ及びｂで表している。これらのランプがそれらの長さ方向にカラーポイントの変化を示し、図１Ａに示す実施例において、ランプ４、５のスペクトル特性がランプ４、５の端部（ａ）から、例えば相対的に“青みがかった”色から、ランプ４、５の端部（ｂ）の近くの、例えば相対的に“黄色がかった”色に変化し、端部ａ及びｂ間の前記スペクトル特性が（徐々の）変化を示す場合には、一方のランプの“青みがかった”色の端部（ａ）を他方のランプの“黄色がかった”色の端部（ｂ）の隣に配置すれば、ランプ４及び５間のスペクトル特性の差が補償される。本発明の解決手段に従って、２つのランプを２つの隣接するサブレフレクタ内にそれぞれ並べて配置すれば、即ち図１Ａに示す実施例において、ランプ５及び４’をサブレフレクタ２及び２’内にそれぞれ配置し、ランプ５’及び４”をサブレフレクタ２’及び２”内にそれぞれ配置し、ランプ５”及び４”をサブレフレクタ２”及び２”’内にそれぞれ配置すれば、補償効果が生ずる。ランプを、本発明の解決手段に従って、同一のサブレフレクタ内に並んで延在するように配置すれば、即ち図１に示す実施例において、ランプ４及び５をサブレフレクタ２内に収納し、ランプ４’及び５’をサブレフレクタ２’内に収納し、ランプ４”及び５”をサブレフレクタ２”内に収納し、ランプ４”’及び５”’をサブレフレクタ２”’内に収納すれば、補償効果が更に向上する。
２つの隣接するサブレフレクタ内に並べて配置される全てのランプはａ−ｂ対ｂ−ａの逆向き配置原理に従って配向配置するのが好ましく、本発明の他の好適実施例では、１つのサブレフレクタ内に配置される全てのランプのスペクトル特性を上述した原理に従って交互に逆向きにする。１つ以上のサブレフレクタ内に並べて配置されるランプのスペクトル特性を互いに逆方向に変化させる前記解決手段の結果として、けい光ランプの小さな（少なくとも実際上再現可能な）偏差の影響が平均化され、バックライト照明装置１０の光出力の均一性のかなり大きな改善が得られる。
更に、図１に示す実施例では、ランプ４、５を１つ置きに直列に接続して、１つのサブレフレクタ２内のランプ４、５（それらの部分）が同一の電源に接続されないようにしている。図１Ａでは、２つの電源８、９（インバータとも言う）を用い、これらのけい光ランプの半分４を第１電源８に直列に接続し、他の半分５を第２電源９に直列に接続する。図１の他の実施例では、これらのランプを対にし（且つ１つ置きに）電源に接続することもできる。この場合には、４つの電源は必要になる。
図２ＡはＵ字形けい光ランプが設けられた本発明のバックライト照明装置の実施例の概略平面図であり、図２Ｂは図２Ａに示すバックライト照明装置４０の概略断面図であり、この装置には更に壁３６により支持された光散乱カバー３７が設けられている。図２に示す実施例では、バックライト照明装置４０は並べて配置された一群のサブレフレクタ３３、３３’、３３”、３３”’を具えている。
図２Ａに示す実施例では、各サブレフレクタ３３、３３’、３３”、３３”’が１つのＵ字形けい光ランプ３４、３４’、３４”、３４”’をそれぞれ収納する。けい光ランプ３４の長さ方向のスペクトル特性の変化が図２Ａに文字ａ，ａ’，ｂ及びｂ’で示されている。これらのランプが長さ方向にカラーポイントの変化を示し、図２Ａに示す実施例に従って、ランプ３４、３４’、３４”、３４”’スペクトル特性がそれらの端部（ａ）から、例えば相対的に“青みがかった”色から、Ｕ字形ランプの連結部分近くの部分ａ’及びｂ’を経てそれらの端部（ｂ）近くの相対的に“黄色がかった”色へ変化し、スペクトル特性の変化が前記端部ａ及びｂ間に生ずる場合には、サブレフレクタ３３、３３’、３３”内に収納されたランプ３４、３４’、３４”のｂ−ｂ’で示す部分間のスペクトル特性の差が、サブレフレクタ３３’、３３”、３３”’内に収納されたランプ３４’、３４”、３４”’のａ−ａ’で示す対応部分により補償される。各サブレフレクタ内のランプを隣接するサブレフレクタ内のランプに対しこのような向きに配置することにより、バックライト照明装置４０の光出力の均一性を改善することができる。サブレフレクタ３３、３３’、３３”、３３”’内の全てのランプ３４、３４’、３４”、３４”’を上述のように配置するのが好ましい。
更に、図２に示す実施例では、ランプ３４、３４’、３４”、３４”’を１つ置きに直列に接続して、隣接するランプが同一の電源に接続されないようにする。図２Ｂでは、２つの電源３８、３９を用い、これらのけい光ランプの半分３４、３４”を第１電源３８に直列に接続し、他の半分３４’、３４”’を第２電源３９に直列に接続する。
図３ＡはＵ字形けい光ランプ１４、１５が設けられた本発明のバックライト照明装置の他の実施例の概略斜視図であり、図３Ｂは図３Ａに示すバックライト照明装置２０の概略断面図であり、この装置には更に壁１６により支持された光散乱カバー１７が設けられている。図３Ａにおいて、Ｕ字形けい光ランプ１４、１５の各アーム部分を番号１４、１４’、１４”及び１５、１５’、１５”でそれぞれ示す。図３に示す実施例では、サブレフレクタ１３、１３’、１３”の大多数が２つの異なるＵ字形けい光ランプの２つのアーム部分を収納し、例えばアーム部分１４’及び１５’がサブレフレクタ１３’内に位置し、アーム部分１４”及び１５”がサブレフレクタ１３内及びサブレフレクタ１３”内に位置する。本例では、バックライト照明装置２０の両端縁に、各々１つのけい光ランプの１つのアーム部分１４”’、１５”’のみを収納する２つの“半”サブレフレクタ１２、１２’を具える。“半”サブレフレクタ１２、１２’の（垂直）壁に高い反射係数を有する反射層１６’を設ければ、光出力及び光分布の均等性（均一性）が更に向上する。サブレフレクタ及びランプの他の配置によりこれらの“半”サブレフレクタを不要にすることができる。図３Ａに示す実施例では、光出力を最大にするために、Ｕ字形けい光ランプ１４、１５の少なくともほぼ平行なアーム部分を互いに連結する連結部分をバックライト照明装置２０のサブレフレクタ間の遷移部分１１内に収納し、バックライト照明装置の一体部分を構成するようにしている。他の実施例では、これらの連結部分をバックライト照明装置２０の外部に位置させる。
サブレフレクタ１３、１３’１３”は常にけい光ランプ１４、１５の２つの異なるアーム部分を収納する。けい光ランプ１４、１５の長さ方向のスペクトル特性の変化は図３に文字ａ，ａ’，ｂ及びｂ’で示されている。これらのランプがそれらの長さ方向にカラーポイントの変化を示し、図３Ａに示す実施例に従って、スペクトル特性がランプ１４、１５の端部（ａ）から、相対的に“青みがかった”色から、Ｕ字形ランプの連結部分近くの部分ａ’及びｂ’を経て、ランプ１４、１５の端部（ｂ）近くの相対的に“黄色がかった”色に変化し、スペクトル特性が前記端部ａ及びｂ間で（徐々に）変化する場合には、１つのサブレフレクタ１３内に、ランプ１４、１５のアーム部分ａ−ａ’をアーム部分ｂ−ｂ’の隣に且つその逆に配置すれば、ランプ１４、１５間のスペクトル特性の差が補償される。１つのサブレフレクタ１３内に配置される全てのランプは上述したａ−ａ’対ｂ−ｂ’の逆向き配置原理に従って設けるのが好ましく、本発明の更に好適な実施例では、隣接するサブレフレクタ１３、１３’、１３”内の全てのランプのスペクトル特性を上述したように互い違いに配置する。１つ以上のサブレフレクタ内に並んで配置されるランプの部分の特性を互いに反対方向に変化させる前記解決手段により、けい光ランプの偏差の影響が均等化（平均化）され、バックライト照明装置２０の光出力の均一性の改善が得られる。
更に、図３に示す実施例では、ランプ１４、１５を１つ置きに直列に接続して、１つのサブレフレクタ１３内のランプ１４、１５（の部分）が同一の電源に接続されないようにする。図３Ｂでは、２つの電源１８、１９を用い、２つのＵ字形ランプ１４を第１電源１８に直列に接続し、２つのＵ字形ランプ１５を第２電源１９に直列に接続する。
図４Ａは２つの所謂蛇行形けい光ランプ２４、２５が設けられた本発明のバックライト照明装置の実施例の概略平面図であり、図４Ｂは図４Ａに示すバックライト照明装置３０の概略断面図であり、この装置には更に壁２６により支持された光散乱カバー２７が設けられている。蛇行形けい光ランプ２４、２５は一般に、図４Ａに図式的に示すように、Ｍ字型に折り曲げられた気密封止管状ランプ容器を具える。蛇行形ランプは連結部分により連結された数個の（少なくともほぼ平行な）アーム部分からなる。図４に示す実施例では、バックライト照明装置３０は並べて配置された一群のサブレフレクタ２２、２２’２２”等を具え、且つランプ２４、２５を別々に電源２８、２９に接続している。蛇行形けい光ランプ２４、２５の順次のアーム部分を順次のサブレフレクタ２２内に収納する。更に、各サブレフレクタ２２は２つの蛇行形ランプ２４、２５の各々のアーム部分を収納する。ランプ２４、２５のアーム部分のサブレフレクタ群２２へのこの分布により、２つの蛇行形ランプ間のカラーポイント（スペクトル特性）の差が２つの蛇行形ランプの各々のアーム部分を収納する各サブレフレクタ内で分配される（分布される）。蛇行形ランプ２４、２５のスペクトル特性が図４Ａに文字ａ−ａ’−ａ”−ａ”’で示すように（徐々に）変化する場合には、これらのランプの相補関係のアーム部分を１つのサブレフレクタ内に並べて配置すれば、バックライト照明装置３０の均一性が向上する。壁２６の（垂直）部分に高い反射係数を有する反射層２６’を設ければ、光出力及び光分布の均一性が更に向上する。
図５は液晶ディスプレイデバイス５１及びバックライト照明装置５０のアセンブリの極めて図式的な分解図である。図５に示す実施例では、液晶ディスプレイデバイス５１はハウジング５２内に収納され、ハウジングには取り付け手段（図示せず）及び必要に応じ支持部材５４が設けられている。更に、液晶ディスプレイデバイス５１とバックライト照明装置５０との間にフィルタ５３を配置することができる。前記バックライト照明装置５０には光散乱カバー４７が設けられ、このカバーは組立て形態において壁４６に支持される。図５に示す実施例では、サブレフレクタ４３、４３’、４３”、４３”’の大多数が２つの異なるＵ字形けい光ランプ４４、４４’、４４”；４５、４５’の２つのアーム部分を常に収納する。本例では、バックライト照明装置５０の上端縁及び下端縁に、各々けい光ランプ４４、４４”の１つのあーむ部分のみを収納する２つの”半”サブレフレクタ４２、４２’が設けられている。Ｕ字形けい光ランプ４４、４５を電源に接続する方法は図５に示してない。図５に示すバックライト照明装置５０の光出力を最大にするために、Ｕ字形けい光ランプ４４、４５の連結部分を２つのサブレフレクタ間の遷移部分に位置させ、バックライト照明装置の一体部分となす。更に、Ｕ字形けい光ランプ４４、４５のアーム部分をサブレフレクタ４３、４３’、４３”内に、これらのランプ４４、４５のアーム部分のスペクトル特性の変化がサブレフレクタ内の他のランプ４４、４５の相補アーム部分により補償されるように収納する。レフレクタ４３、４３’、４３”の１つのレフレクタ内の第１けい光ランプ４４の各アーム部分を対応するレフレクタ４３、４３’、４３”内の第２けい光ランプの各アーム部分に対し、第１ランプ４４の前記アーム部分のスペクトル特性の変化が第２ランプの前記部分のスペクトル特性の変化と反対の方向になるように配置するのが好ましい。
上述したようにランプ４４、４５をサブレフレクタ群に分布することにより、２つのランプ間のカラーポイント（スペクトル特性）の差をスペクトル２つのランプの（同等）部分を収納する各サブレフレクタ内で補償することができる。これにより、バックライト照明装置の均一性の大きな改善が達成される。
本発明の範囲内において多くの変更が当業者に可能であること明らかである。
一般に、本発明は長さ方向にスペクトル特性の変化を示す部分を有する少なくとも２つの管状けい光ランプが設けられたバックライト照明装置に関する。これらのランプの前記部分を、並べて配置される第１ランプの前記部分のスペクトル特性と第２ランプの前記部分のスペクトル特性が互いに反対方向に変化するように相対的に位置させる。照明装置には更に複数のサブレフレクタを設け、これらのサブレフレクタの大多数に第１ランプの前記部分と第２ランプの前記部分を設ける。大多数のランプを２以上のサブレフレクタに分布するのが好ましい。ランプはＵ字形ランプとし、１つ置きに直列に接続するのが好ましい。このバックライト照明装置は液晶ディスプレイデバイスに使用され、均一なスペクトル特性を有する光分布を与える。
【図１】
0004015199.tif 000002
【図２】
0004015199.tif 000003
【図３】
0004015199.tif 000004
【図４】
0004015199.tif 000005
【図５】
0004015199.tif 000006